Podtech/llm-jp-corpus-v4-ja_patent huggingface dataset:
【手続補正書】
【提出日】平成23年3月16日(2011.3.16)
【手続補正１】
【補正対象書類名】特許請求の範囲
【補正対象項目名】全文
【補正方法】変更
【補正の内容】
【特許請求の範囲】
【請求項１】
−  水性相、
−  化粧料組成物の全質量に対して少なくとも10質量％の、少なくとも1種の、5MPaを越える20℃での硬さを示す硬蝋、
−  可逆的な固/液状態変化を示し、また23℃において液体画分及び固体画分を含む、親油性脂肪化合物から選択される、少なくとも1種のペースト状化合物、及び
−  以下の組み合わせを含む1種又はそれ以上の乳化性界面活性剤：
・少なくとも1種のC10-C30アルキルホスフェート界面活性剤；及び
・少なくとも1種のC8-C24脂肪アルコールエーテル及びポリエチレングリコール、ここで該エーテルは1〜19個のエチレンオキシド単位を含み、かつ25℃にて<8なるHLBを示す、
を含むことを特徴とする、化粧料組成物。
【請求項２】
前記組成物が、少なくとも1種のオイルを含む、請求項1記載の組成物。
【請求項３】
前記硬蝋/(前記ペースト状化合物+存在してもよい前記オイル)の質量基準での比が、2〜8なる範囲内にある、請求項1又は2記載の組成物。
【請求項４】
−  水性相、
−  少なくとも1種の、5MPaを越える20℃での硬さを示す硬蝋、
−  可逆的な固/液状態変化を示し、また23℃において液体画分及び固体画分を含む、親油性脂肪化合物から選択される、少なくとも1種のペースト状化合物、及び
−  存在してもよい少なくとも1種のオイル
を含み、該硬蝋/(該ペースト状化合物+存在してもよい該オイル)の質量基準での比が、2〜8なる範囲内にあることを特徴とする、化粧料組成物。
【請求項５】
前記ペースト状化合物及び前記オイルの全量が、前記組成物の全質量に対して1質量％を越える範囲内にある、請求項2〜4の何れか1項に記載の組成物。
【請求項６】
前記硬蝋が、カルナウバ蝋、キャンデリラ蝋、ワックスBIS-PEG-12ジメチコンキャンデリレート(DIMETHICONE CANDELILLATE)、水添ホホバワックス、水添パーム油、米糠ワックス、スマック(漆)ワックス、セレシンワックス、ローレルワックス、イボタ蝋、セラックワックス、水添オリーブ油、C12〜C18鎖の脂肪アルコールでエステル化したオリーブ油の水添により得られるワックス、セチル又はベヘニルアルコールでエステル化したヒマシ油の水添により得られるワックス、水添カメリンワックス、オーリキュリーワックス、モンタン蝋、オゾケライト蝋、マイクロクリスタリンワックス、ラウリン酸、パルミチン酸、セチル酸及びステアリン酸のトリグリセライド、ポリメチレンワックス、ポリエチレンワックス、アルコール/ポリエチレンワックス、95/5エチレン/アクリル酸コポリマー、ヒドロキシオクタコサニルヒドロキシステアレート、オクタコサニルステアレート、ステアリルステアレート、ペンタエリスリトールジステアレート、ジベヘニルアジペート、ジオクタデシルアジペート及びジ-エイコサニルアジペートの混合物、ジラウリルアジペート及びジテトラデシルアジペートの混合物、ジオクタデシルセバケート、ジドコシルセバケート及びジエイコシルセバケートの混合物、ジオクタデシルオクタデカンジオエート、ジドコシルオクタンジオエート及びジエイコシルオクタンジオエートの混合物、ペンタエリスリチルテトラステアレート、テトラコンタニルステアレート、ステアリルベンゾエート、ベヘニルフマレート、ジ-(トリメチロール-1,1,1-プロパン)テトラステアレート、ジドトリアコンタニルジステアレート、4個のエチレンオキシド単位を持つポリエチレングリコールのモンタネート、ヘキサンジオールジサリチレート、ジペンタエリスリトールヘキサステアレート、ジトリメチロールプロパンテトラベヘネート、ホホバエステル、直鎖(C20-40)カルボン酸/飽和炭化水素混合物、フィッシャー-トロプシュ型の合成ワックス、セチルアルコール、ステアリルアルコール、ベヘニルアルコール、ジオクタデシルカーボネート、及びサッカロースポリベヘネートから選択される、請求項1〜５の何れか1項に記載の組成物。
【請求項７】
前記ペースト状化合物が、
−  ラノリン及びその誘導体、
−  ポリマー型又は非-ポリマー型のシリコーン化合物、
−  ポリマー型又は非-ポリマー型のフッ素化化合物、
−  ビニルポリマー、特に
・オレフィンのホモポリマー、
・オレフィンのコポリマー、
・水添ジエンのホモポリマー及びコポリマー、
・好ましくはC8-C30アルキル基を持つ、アルキル(メタ)アクリレートの、直鎖又は分岐、ホモ又はコポリマー型のオリゴマー、
・C8-C30アルキル基を持つ、ビニルエステルのホモポリマー又はコポリマー型のオリゴマー、
・C8-C30アルキル基を持つ、ビニルエーテルのホモポリマー又はコポリマー型のオリゴマー、
−  1種又はそれ以上のC2-C100、好ましくはC2-C50ジオール間のポリエーテル化によって得られる油溶性ポリエーテル、
−  エステル及びポリエステル、及び
−  これらの混合物、
から選択される、請求項１〜６の何れか１項記載の組成物。
【請求項８】
前記オイルが、揮発性又は不揮発性であり、また炭化水素油、シリコーン油、フッ素化オイル、及びこれらの混合物から選択される、請求項2〜7の何れか1項に記載の組成物。
【請求項９】
前記組成物が、以下の組み合わせを含む1種又はそれ以上の乳化性界面活性剤を含有する、請求項4記載の組成物：
−  少なくとも1種のC10-C30アルキルホスフェート界面活性剤；及び
−  少なくとも1種のC8-C24脂肪アルコールエーテル及びポリエチレングリコール、ここで該エーテルは1〜19個のエチレンオキシド単位を含み、かつ25℃にて<8なるHLBを示す。
【請求項１０】
有効量の、請求項1〜9の何れか1項に記載の組成物を、ケラチン質繊維に適用することからなる、ケラチン質繊維、例えば睫毛のメイクアップ方法。
【手続補正書】
【提出日】平成23年9月29日(2011.9.29)
【手続補正１】
【補正対象書類名】特許請求の範囲
【補正対象項目名】全文
【補正方法】変更
【補正の内容】
【特許請求の範囲】
【請求項１】
装填端及び熔融端を有するシュート状で少なくとも部分的に閉鎖型の送給路と、
前記送給路に沿い案内されている１個又は複数個のインクスティックを装填端熔融端間で前進させるスティック移送器と、
前記送給路内に配置され、前記スティックに設けられたセンサ用符号子を前記送給路の装填端熔融端間で検知する１個又は封数個のセンサと、
前記送給路内に配置され、前記符号子が前記センサで検知可能な位置にくるよう前記センサに対する前記スティックの位置関係を整える１個又は複数個の矯正子と、
を備える、相変化インク成像装置用スティック送給システム。
【請求項２】
請求項１記載の相変化インク成像装置用スティック送給システムであって、
前記矯正子として、前記送給路の内表面から送給路内に延びる第１の矯正子と、その向かい側の内表面から送給路内に延びる第２の矯正子と、の対を、１個又は複数個備え、
前記複数対の矯正子は、前記スティックを前記送給路に装填するための開口に面して、且つその全体が入りきったときに当該スティックが占める位置の中心から当該送給路沿いに少なくとも部分的にずらして、配置されており、その送給路沿い間隔がそのスティックの送給路沿い長さより短く、
前記開口を介して装填されるスティックの位置にずれがある場合に前記複数対の矯正子がそれを軽減させること、
を特徴とする相変化インク成像装置用スティック送給システム。
【請求項３】
請求項１または２に記載の相変化インク成像装置用スティック送給システムであって、
前記送給路の装填端に設けられ所定の送給路沿い寸法を有するインクスティックを通せる寸法を有する装填用開口を備え、
前記一対又は複数対の矯正子は、前記送給路内で前記装填用開口の先端近傍に面する位置に配置され、
少なくとも一対の前記矯正子の後方に配置された阻害子を備え、
前記送給路沿いに前記熔融端にインクスティックを移送するに当たり、前記所定の送給路沿い寸法を有するインクスティックについては前記矯正子によってその位置乃至姿勢を調整し、逆にその送給路沿い寸法が当該所定の送給路沿い寸法に満たずその先端が前記阻害子より前方に張り出していないインクスティックについては当該阻害子により熔融端方向への移動を妨げる相変化インク成像装置用スティック送給システム。
【請求項４】
請求項１から３のいずれか１項に記載の相変化インク成像装置用スティック送給システムに用いられるインクスティックであって、
相変化インクプリンタのインク装填器に挿入されるよう構成されたインクスティック本体であって、先端面と、後端面と、複数の側面とを有し、前記先端面が前記インク装填器の装填方向に向けられるように構成され、前記後端面が前記装填方向の反対方向に向けられるように構成された、インクスティック本体と、
前記先端面と前記後端面との間の少なくとも１つの側面に形成された破断個所設定子であって、前記少なくとも１つのインクスティックを前記インクスティック本体上の所定位置で破断しやすくし、その破断によって前方インクスティック断片および後方インクスティック断片が形成され、前記前方インクスティック断片が送給シュート内を前進して前記送給シュート内に位置する少なくとも１つの阻害子を通過するよう構成された、破断個所設定子と、
を含むインクスティック。
【手続補正２】
【補正対象書類名】明細書
【補正対象項目名】発明の名称
【補正方法】変更
【補正の内容】
【発明の名称】相変化インク成像装置用スティック送給システム及びそのシステムに用いるインクスティック
【手続補正３】
【補正対象書類名】明細書
【補正対象項目名】０００９
【補正方法】変更
【補正の内容】
【０００９】
また、本発明の他の実施形態に係るシステムでは、適正な形状及び寸法のインクスティックについてはシュート状送給路に沿った移送を認める一方、間違ったスティック、旧機種用スティック、形状が合わないスティック、破損したスティック等が通ることを防ぐことにより、スティック送給制御品質を向上させる。即ち、本スティック送給システムは、装填端及び熔融端を有するシュート状の送給路と、その送給路の装填端熔融端間で１個又は複数個のスティックを移送するスティック移送器と、送給路の装填端に設けられ所定の送給路沿い寸法を有するスティックを通せる寸法を有する装填用開口と、送給路内で装填用開口の先端近傍に面する位置に配置された一対又は複数対の矯正子と、それら矯正子のうち少なくとも一対の後方に配置された阻害子（obstructor）と、を備える。本システムでは、送給路沿いに熔融端にスティックを移送するに当たり、所定の送給路沿い寸法を有するスティックについては矯正子によってその位置乃至姿勢を調整し、逆にその送給路沿い寸法が所定の送給路沿い寸法に満たずその先端が阻害子より前方に張り出していないスティックについては阻害子により熔融端方向への移動を妨げる。また、本発明の実施形態に係るシステムにおいて用いられるインクスティックは、相変化インクプリンタのインク装填器に挿入されるよう構成されたインクスティック本体であって、先端面と、後端面と、複数の側面とを有し、前記先端面が前記インク装填器の装填方向に向けられるように構成され、前記後端面が前記装填方向の反対方向に向けられるように構成された、インクスティック本体と、前記先端面と前記後端面との間の少なくとも１つの側面に形成された破断個所設定子であって、前記少なくとも１つのインクスティックを前記インクスティック本体上の所定位置で破断しやすくし、その破断によって前方インクスティック断片および後方インクスティック断片が形成され、前記前方インクスティック断片が送給シュート内を前進して前記送給シュート内に位置する少なくとも１つの阻害子を通過するよう構成された、破断個所設定子と、を含むこととしても好適である。
【手続補正書】
【提出日】平成23年9月13日(2011.9.13)
【手続補正１】
【補正対象書類名】明細書
【補正対象項目名】００２３
【補正方法】変更
【補正の内容】
【００２３】
当該実験により、復帰ばね４４の力は既存の電動真空弁と同じかおおよそ同じものを選ぶことができた。また、正月休みなど長期間弁閉したままの状態で放置した場合に、弁体４２の環状シール部材５０が弁座５４に固着した場合でも、固着を引き剥がすことができるだけのモータトルクを有することができた。また、弁室５３内が大気圧で停電した場合には、復帰ばねの推進力がステッピングモータのディテントトルクよりも大きいため迅速かつ確実に閉弁することができる送りねじリード・ステッピングモータ・復帰ばねの組み合わせを選ぶことができた。また、弁室５３内が真空状態で停電した場合に、真空ポンプ１１からチャンバ１０へ潤滑油などの拡散が始まる前に、迅速かつ確実に閉弁することができる送りねじリード・ステッピングモータ・復帰ばねの組み合わせを選ぶことができた。
【手続補正２】
【補正対象書類名】明細書
【補正対象項目名】００２９
【補正方法】変更
【補正の内容】
【００２９】
（弁閉時）
図４乃至図６に示す弁閉時の発生推力Ｆｄの求め方は、以下に示す［数５］の通りである。
【数５】
2011169411.tif 000001
Ｆ３は、復帰ばね４４の推進力と真空圧力による弁体に発生する推進力の和による発生推力である。
Ｆｆは、摩擦損失である。
Ｆｄは、Ｆ３とＦｆの差である。
弁閉時の発生推力Ｆｄは、Ｆ３とＦｆの差により求めることができる。
具体的には、図４に示すステッピングモータＡのねじリードが２ｍｍの場合では、Ｆ３が１５４．２Ｎであり、Ｆｆが０．４０Ｎである。
したがって、
2011169411.tif 000002
となる。
本実施例では、ステッピングモータＡのねじリードが２ｍｍの場合を挙げて説明したが、その他のステッピングモータ及びねじリードでも同様の計算によりＦｄを求めることができる。
【手続補正３】
【補正対象書類名】明細書
【補正対象項目名】００３４
【補正方法】変更
【補正の内容】
【００３４】
図４乃至図６に示す弁閉時の必要推力Ｆｃの求め方は、以下に示す［数６］の通りである。
【数６】
2011169411.tif 000003
Ｆｃは、弁閉時の必要推力であり、復帰ばねの力のみにより、ロッド・弁体を弁閉方向に移動させる力である。発生推力は、ねじリードに関係なく、ほぼ一定である。
Ｆｅは、ディテントトルクである。
η２は、送りねじ逆効率である。
Ｐｈは、送りねじリードを示す。
弁閉時の必要推力Ｆｃは、２πとＦｅの積を、η２とＰｈの積により割ることにより求めることができる。
具体的には、図４に示すステッピングモータＡのねじリードが２ｍｍの場合では、η２が０．８７４であり、Ｆｅが２４であり、Ｐｈが２である。
したがって、
2011169411.tif 000004
となる。
本実施例では、ステッピングモータＡのねじリードが２ｍｍの場合を挙げて説明したが、その他のステッピングモータ及びねじリードでも同様の計算によりＦｃを求めることができる。
【手続補正書】
【提出日】平成23年8月25日(2011.8.25)
【手続補正１】
【補正対象書類名】明細書
【補正対象項目名】００１６
【補正方法】変更
【補正の内容】
【００１６】
帯状基部３３１は、第一のフック部３３２および第二のフック部３３３が設けられる長手帯状の本体３３１１を備えている。この本体３３１１には、袋体２に取り付けられた状態での長手方向の一縁側となる開口部２３側に、本体３３１１より厚肉に形成された第一の凸状部３３１２が一連に設けられている。さらに、この第一の凸状部３３１２の開口部２３側には、第一の凸状部３３１２よりも薄肉に形成された薄肉部３３１３が一連に設けられている。また、薄肉部３３１３の開口部２３側には、本体３３１１および薄肉部３３１３より厚肉に形成された第二の凸状部３３１４が一連に設けられている。
第一の凸状部３３１２における基材フィルム２４側の面３３１２Ｂと、第二の凸状部３３１４の基材フィルム２４側の面３３１４Ｂとは略同一面に位置する状態に形成されている。また、薄肉部３３１３は、これら第一の凸状部３３１２および第二の凸状部３３１４の面よりも厚さ方向で後退、すなわち袋体２の内部側に位置する状態に段差状に設けられている。
さらに、薄肉部３３１３は、第一の凸状部３３１２の咬合部３１側の面３３１２Ｃおよび第二の凸状部３３１４の咬合部３１側の面３３１４Ｃからも後退、すなわち基材フィルム２４側に位置する状態に段差状に設けられている。
これらの構成により、薄肉部３３１３が基材フィルム２４に対して間隙を介して対向する状態に、帯状基部３３１が基材フィルム２４に取り付けられる。
【手続補正２】
【補正対象書類名】明細書
【補正対象項目名】００１９
【補正方法】変更
【補正の内容】
【００１９】
帯状基部３２１についても同様に、頭部３２２および連結部３２３が設けられる長手帯状の本体３２１１を備えている。この本体３２１１には、袋体２に取り付けられた状態での長手方向の一縁側となる開口部２３側に、本体３２１１より厚肉に形成された第一の凸状部３２１２が一連に設けられている。
この第一の凸状部３２１２は、互いに係合してなる咬合部３１からの距離が、帯状基部３３１に設けられた第一の凸状部３３１２における咬合部３１からの距離より短く形成されている。このことにより、第一の凸状部３２１２および第一の凸状部３３１２は、段差状に位置する状態に形成されている。
また、帯状基部３２１は、帯状基部３３１の返しリブ３３１１Ａと同様、返しリブ３２１１Ａが対応する位置に設けられている。
さらに、帯状基部３２１には、帯状基部３３１と同様に、咬合部３１における開口部２３側および開口部２３と反対側にリブ状部３４が設けられている。
なお、雄部材３２および雌部材３３を袋体２の内面へ取り付ける面には、リブ３３１３Ａを含めた薄肉部３３１３を除き、上述したシール層を設けた多層構造のように、リブ３３１３Ａを含めた薄肉部３３１３の融点よりも低融点の樹脂を積層してもよい。それにより、リブ３３１３Ａが袋体２の内面に誤って融着することを防止する効果がある。
【手続補正３】
【補正対象書類名】明細書
【補正対象項目名】００３４
【補正方法】変更
【補正の内容】
【００３４】
そして、第一の凸状部３３１２と第二の凸状部３３１４が、本体３３１１よりも厚肉に形成されている。このため、易裂き性ジッパーテープ３Ａのシール温度が非常に高くなって雄部材３２と雌部材３３が変形してしまう不都合も防止でき、第一の凸状部３３１２と第二の凸状部３３１４とで誘導して切れ、容易に開封できる。
【手続補正４】
【補正対象書類名】明細書
【補正対象項目名】００３８
【補正方法】変更
【補正の内容】
【００３８】
また、本実施形態では、帯状基部３２１、３３１の本体３２１１、３３１１の咬合部３１の両側に位置する状態でリブ状部３４を設けたが、設けなくてもよい。また、リブ状部３４を複数設けてもよい。
さらに、返しリブ３２１１Ａ，３３１１Ａを設けて説明したが、これらを設けなくてもよい。
そして、易裂き性ジッパーテープ３Ａを融着する場合に限らず、接着剤などを用いて基材フィルム２４に取り付ける構成としてもよい。
また、前記実施形態では、易裂き性ジッパーテープ３Ａを溶着する包装体を三方袋としていたが、本発明ではこれに限られず、ピロー袋やサイドガセット袋、四方シールをする袋にも適用することができる。
【手続補正書】
【提出日】平成23年4月19日(2011.4.19)
【手続補正１】
【補正対象書類名】特許請求の範囲
【補正対象項目名】全文
【補正方法】変更
【補正の内容】
【特許請求の範囲】
【請求項１】
パンチガイドと、このパンチガイドの上部に回転可能に取付けるリテーナカラーと、そのリテーナカラーに挿通して前記パンチガイドに上下動可能、かつ、相対回転不可に挿入するパンチボディと、そのパンチボディの上部外周に螺合させて前記リテーナカラーの上方に配置するパンチヘッドと、このパンチヘッドと前記リテーナカラーとの間に介在するパンチボディ復帰用のスプリングを備えるパンチ金型において、
前記パンチヘッドに、前記パンチボディが内側に通されるスリーブを含ませ、そのスリーブの先端外周に縦長の凸部を一体に形成し、
前記リテーナカラーの内周に、前記凸部に対応した大きさで一端が前記リテーナカラーの下面に開放し、他端は前記リテーナカラーの上面に対して非開放の凹部と、その凹部から所定量回転した位置に前記凸部を通過させる前記リテーナカラーの下面から上面に至った縦溝をそれぞれ設け、
前記凸部を前記縦溝の位置から前記リテーナカラーの下端側に通り抜けるところまで前記リテーナカラーに通した後、前記リテーナカラーと前記スリーブを相対回転させて前記凸部を前記凹部に入り込ませ、その凸部と凹部を互いに係合させて前記パンチヘッドを前記リテーナカラーに相対回転不可、かつ、軸方向相対移動可能に連結するとともに、このときの前記凸部と前記凹部の軸方向の相互入り込み長さをパンチボディのストロークよりも長くするパンチ金型におけるパンチヘッドとリテーナカラーの締結方法。
【手続補正書】
【提出日】平成23年7月1日(2011.7.1)
【手続補正１】
【補正対象書類名】特許請求の範囲
【補正対象項目名】全文
【補正方法】変更
【補正の内容】
【特許請求の範囲】
【請求項１】
所定の制御処理を繰り返し実行することによって、遊技機の動作の少なくとも一部を制御する制御部と、
該制御部からのコマンドに基づいて払出しモータを制御して規定数の球を払い出す払出制御処理を実行する払出制御部と、
前記制御部及び前記払出制御部への電源の供給停止を予測する電源停止予測部と、
前記制御処理に必要となる制御情報を、該遊技機の動作中および前記電源の供給停止後の所定期間、保持する情報記憶部と、
前記電源停止予測部における予測の結果を点検し、該点検の結果に応じて、前記制御処理を再現可能に、前記制御情報を前記情報記憶部に格納するバックアップ処理部とを有する遊技機であって、
前記電源停止予測部における予測の結果を点検するときにおいては、前記所定の制御処理におけるスタックポインタの値が規定値となっているとともに、前記払出制御処理におけるスタップポインタの値が規定値となっていることを特徴とする遊技機。
【手続補正２】
【補正対象書類名】明細書
【補正対象項目名】０００７
【補正方法】変更
【補正の内容】
【０００７】
本発明の遊技機は、制御部、払出制御部、電源停止予測部、情報記憶部、バックアップ処理部を有する。制御部は、所定の制御処理を繰り返し実行することによって、遊技機の動作の少なくとも一部を制御する。払出制御部は、制御部からのコマンドに基づいて払出しモータを制御して規定数の球を払い出す払出制御処理を実行する。電源停止予測部は、制御部及び払出制御部への電源の供給停止を予測する。電源停止予測部は、制御部への電源の供給制御を併せて行ってもよい。情報記憶部は、制御処理に必要となる制御情報を保持するメモリであり、電源の供給停止後も所定期間、制御情報を保持可能に構成されている。制御情報としては、制御時には制御部に保持されている情報も含まれる。情報記憶部は、必ずしも不揮発性メモリである必要はなく、ＲＡＭなどの揮発性メモリと電源を所定期間供給可能なバックアップ電源との組み合わせとしてもよい。情報記憶部の作用により、電源の供給停止時でも、停電前の動作状態に復旧するために必要な制御情報は、保持されることになる。
【手続補正３】
【補正対象書類名】明細書
【補正対象項目名】０００８
【補正方法】変更
【補正の内容】
【０００８】
バックアップ処理部は、予測の結果を点検し、その点検結果に応じて、バックアップ処理を実行する。バックアップ処理とは、停電前の制御処理を再現できるよう、制御情報を情報記憶部に格納する処理である。電源停止予測部における予測の結果を点検するときにおいては、所定の制御処理におけるスタックポインタの値が規定値となっているとともに、払出制御処理におけるスタップポインタの値が規定値となっている。バックアップ処理は、予測結果の点検に続けて行うようにしてもよいし、この点検とは別のタイミングで実行するようにしてもよい。予測結果の点検は、定期的な割込処理の中で行うようにしてもよいし、通常の制御処理過程で定期的に行うようにしてもよい。制御部が保持している情報を情報記憶部に格納する処理も含まれる。本発明によれば、割込処理ではなく、停電の予測結果を周期的に点検してバックアップ処理を実行する。このように停電の予測を能動的に検出することにより、不定期な割込処理を利用した場合に比較して、停電時のバックアップ処理に関し、ノイズによる誤動作が生じる可能性を抑制することができる。
【手続補正書】
【提出日】平成23年8月29日(2011.8.29)
【手続補正１】
【補正対象書類名】特許請求の範囲
【補正対象項目名】全文
【補正方法】変更
【補正の内容】
【特許請求の範囲】
【請求項１】
有効物質と、再吸収性または生体浸食性の中間孔質シリコンに基づく担体材料とを含むデバイスであって、前記有効物質は少なくとも一部前記シリコンに基づく担体材料の孔中に在り、前記シリコンに基づく担体材料は組織親和性である、前記デバイス。
【請求項２】
担体材料が、組成物が体液と接触した時に制御された様式で有効物質を放出する、請求項１に記載のデバイス。
【請求項３】
担体材料が、シリカまたは酸化ケイ素の表面を有する、請求項１または２に記載のデバイス。
【請求項４】
インプラントが、移植された場合に１ヶ月〜２年の期間に亘って有効物質が送達される構造および組成を有する、請求項１〜３のいずれか１項に記載のデバイス。
【請求項５】
有効物質の放出速度が、担体材料の孔からの前記物質の放出速度に少なくとも一部依存する、請求項１〜４のいずれか１項に記載のデバイス。
【請求項６】
インプラントが、最大寸法ｘ（０＜ｘ≦２ｍｍ）を有する、請求項１〜５のいずれか１項に記載のデバイス。
【請求項７】
有効物質が、有機分子、タンパク質、ペプチド、または遺伝子断片もしくは他のＤＮＡ物質から選択される薬物である、請求項１〜６のいずれか１項に記載のデバイス。
【請求項８】
ａ）半導体材料を含む中間孔質の再吸収性または生体浸食性の担体材料と、ｂ）担体材料の孔内に配置された有効物質と、を含むデバイス。
【請求項９】
担体材料が、組成物が体液と接触した時に制御された様式で有効物質を放出する、請求項８に記載のデバイス。
【請求項１０】
有効物質を哺乳動物に送達するための組成物であって、再吸収性または生体浸食性の中間孔質シリコンに基づく担体材料と、少なくとも一部が担体材料の孔中に在る有効物質と、を含む前記組成物。
【請求項１１】
担体材料が、インプラントが患者身体中に置かれた時に所定速度の有効物質放出を達成するよう選択された多孔度を有する、請求項１０に記載の組成物。
【請求項１２】
担体材料が、シリカまたは酸化ケイ素の表面を有する、請求項１０に記載の組成物。
【請求項１３】
有効物質を患者に送達するための組成物であって、複数の移植可能な再吸収性または生体浸食性の中間孔質シリコンに基づく担体と、前記担体の孔内に配置された有効物質とを含み、
体液と接触した時に担体の孔から制御された様式で有効物質を放出する、前記組成物。
【請求項１４】
有効物質の放出速度が、担体材料の孔からの前記物質の放出速度に少なくとも一部依存する、請求項１０〜１３のいずれか１項に記載の組成物。
【請求項１５】
デバイスを製造する方法であって、前記デバイスは患者に移植された時に担体材料の孔から制御された様式で有効物質を放出することを特徴とし、
前記有効物質を中間孔質の再吸収性または生体浸食性の半導体担体材料の孔中に導入することを含む、前記製造方法。
【請求項１６】
半導体材料を電気化学的エッチングすることにより前記担体材料を調製することをさらに含む、請求項１５に記載の製造方法。
【請求項１７】
半導体材料を電気化学的エッチングした後で前記担体材料を酸化することをさらに含む、請求項１６に記載の製造方法。
【請求項１８】
半導体材料の電気化学的エッチングが、前記半導体材料の陽極酸化を含む、請求項１７に記載の製造方法。
【手続補正書】
【提出日】平成23年3月31日(2011.3.31)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報の可変表示を行い表示結果を導出表示する演出表示装置を備え、前記演出表示装置に特定表示結果が導出表示されたときに遊技者にとって有利なラウンド遊技を複数回実行する特定遊技状態に制御し、特別条件が成立したときに前記特定遊技状態に制御するとともに該特定遊技状態が終了したのちに通常状態であるときに比べて識別情報の可変表示が前記特定表示結果となりやすい特別遊技状態に移行させる遊技機であって、
前記特定遊技状態に制御するか否かと、前記特別条件を成立させるか否かとを、可変表示の表示結果を導出表示する前に決定する事前決定手段と、
識別情報の可変表示を行い、前記事前決定手段の決定結果にもとづく表示結果を導出表示する可変表示実行手段と、
前記事前決定手段により前記特定遊技状態に制御することに決定され、前記可変表示実行手段により前記特定表示結果が導出表示されたときに、前記特定遊技状態に制御する特定遊技状態制御手段と、
前記事前決定手段が前記特別条件を成立させることに決定したときに、前記特定遊技状態における所定のラウンド遊技中に、前記特別条件が成立したことを報知するための特別条件報知演出を開始する特別条件報知演出開始手段と、
前記特別条件報知演出開始手段が前記特別条件報知演出を開始した後、所定期間に亘って該特別条件報知演出を実行する特別条件報知演出実行手段とを備え、
前記可変表示実行手段は、
前記特定遊技状態が終了した後の複数回の可変表示に亘って、前記特別遊技状態であることに対応した特別演出と、前記特別遊技状態であるか否かを判別不能な判別不能演出とを含む複数の演出のいずれかにより可変表示を実行し、
前記特別条件報知演出実行手段が前記特別条件報知演出の実行を完了する前に遊技機への電力供給が停止したときには、電力供給が復旧し、前記特定遊技状態が終了した後に、当該特定遊技状態が終了した後の複数回の可変表示に亘って前記判別不能演出により可変表示を実行する
ことを特徴とする遊技機。
【手続補正２】
【補正対象書類名】明細書
【補正対象項目名】００１２
【補正方法】変更
【補正の内容】
【００１２】
請求項１記載の発明では、遊技機を、特別条件報知演出実行手段が特別条件報知演出の実行を完了する前に遊技機への電力供給が停止したときには、電力供給が復旧し、特定遊技状態が終了した後に、当該特定遊技状態が終了した後の複数回の可変表示に亘って判別不能演出により可変表示を実行するように構成したので、遊技者に不審感を抱かせないようにすることができる。
【手続補正書】
【提出日】平成23年3月31日(2011.3.31)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報の可変表示を行い表示結果を導出表示する演出表示装置を備え、前記演出表示装置に特定表示結果が導出表示されたときに遊技者にとって有利なラウンド遊技を複数回実行する特定遊技状態に制御し、特別条件が成立したときに前記特定遊技状態に制御するとともに該特定遊技状態が終了したのちに通常状態であるときに比べて識別情報の可変表示が前記特定表示結果となりやすい特別遊技状態に移行させる遊技機であって、
前記特定遊技状態に制御するか否かと、前記特別条件を成立させるか否かとを、可変表示の表示結果を導出表示する前に決定する事前決定手段と、
識別情報の可変表示を行い、前記事前決定手段の決定結果にもとづく表示結果を導出表示する可変表示実行手段と、
前記事前決定手段により前記特定遊技状態に制御することに決定され、前記可変表示実行手段により前記特定表示結果が導出表示されたときに、前記特定遊技状態に制御する特定遊技状態制御手段と、
前記事前決定手段が前記特別条件を成立させることに決定したときに、前記特定遊技状態における所定のラウンド遊技が開始されたときから所定時間が経過したときであって当該ラウンド遊技の期間中に、前記特別条件が成立したことを報知するための特別条件報知演出を開始する特別条件報知演出開始手段と、
前記特別条件報知演出開始手段が前記特別条件報知演出を開始した後、所定期間に亘って該特別条件報知演出を実行する特別条件報知演出実行手段とを備え、
前記特定遊技状態制御手段は、前記ラウンド遊技が開始されたときからラウンド遊技実行時間が経過したときに当該ラウンド遊技を終了させるとともに、前記ラウンド遊技が開始されたときから前記ラウンド遊技実行時間が経過する前であってもラウンド遊技終了条件が成立したときに当該ラウンド遊技を終了させ、
前記可変表示実行手段は、
前記特定遊技状態が終了した後の複数回の可変表示に亘って、前記特別遊技状態であることに対応した特別演出と、前記特別遊技状態であるか否かを判別不能な判別不能演出とを含む複数の演出のいずれかにより可変表示を実行し、
前記特定遊技状態における前記所定のラウンド遊技が開始されたときから前記所定時間が経過する前に前記ラウンド遊技終了条件が成立したときには、当該特定遊技状態が終了した後の複数回の可変表示に亘って前記判別不能演出により可変表示を実行する
ことを特徴とする遊技機。
【手続補正２】
【補正対象書類名】明細書
【補正対象項目名】００１２
【補正方法】変更
【補正の内容】
【００１２】
請求項１記載の発明では、遊技機を、特定遊技状態が終了した後の複数回の可変表示に亘って、特別遊技状態であることに対応した特別演出と、特別遊技状態であるか否かを判別不能な判別不能演出とを含む複数の演出のいずれかにより可変表示を実行し、特定遊技状態における所定のラウンド遊技が開始されたときから所定時間が経過する前にラウンド遊技終了条件が成立したときには、当該特定遊技状態が終了した後の複数回の可変表示に亘って判別不能演出により可変表示を実行するように構成したので、遊技者に不審感を抱かせないようにすることができる。
【手続補正書】
【提出日】平成23年6月13日(2011.6.13)
【手続補正１】
【補正対象書類名】特許請求の範囲
【補正対象項目名】全文
【補正方法】変更
【補正の内容】
【特許請求の範囲】
【請求項１】
女性の性器又は人の肛門の洗浄や、これら性器又は肛門の内部に薬液や潤滑剤をジェット噴射注入する器具であって、
先端に噴射ノズルが形成され女性の性器又は肛門に挿入される流腺状を呈する挿入部と、その内部の一部に薬液や潤滑剤を収容する装填部とを有するシリンダーと、
前記シリンダー内の所定位置に移動自在に係止され、前記装填部に充填された前記薬液や潤滑剤を封止するピストン部と、
前記シリンダーの内部に前記ピストン部と分離した状態で挿設され且つ押し込み力により前記ピストン部を噴射ノズルに向かって移動させる押し込み棒とからなり、
前記ピストン部の外周面に周溝を設け、この周溝に係合する環状突起を前記シリンダーの内周壁に形成したことを特徴とする携帯用噴射注入具。
【請求項２】
前記ピストン部は、エラストマーで形成するとともに、前記噴射ノズルと対向するピストン部分を破れやすい薄肉に形成したことを特徴とする請求項１に記載の携帯用噴射注入具。
【請求項３】
前記押し込み棒は、一端から他端にわたって中空であることを特徴とする請求項１又は２に記載の携帯用噴射注入具。
【請求項４】
前記押し込み棒に係止突起（１４’）を設け、前記シリンダーに係止突起（１９）を設けたことを特徴とする請求項１〜３のいずれかに記載の携帯用噴射注入具。
【請求項５】
前記ピストンに周溝を設け、この周溝に封止部材を設けたことを特徴とする請求項１〜４のいずれかに記載の携帯用噴射注入具。
【手続補正書】
【提出日】平成23年8月26日(2011.8.26)
【手続補正１】
【補正対象書類名】特許請求の範囲
【補正対象項目名】全文
【補正方法】変更
【補正の内容】
【特許請求の範囲】
【請求項１】
位置に関するデータを有する情報を入力する入力部と、
被写体を撮像する撮像部と、
位置を検出する位置検出部と、
前記位置検出部で検出した位置に基づいて、前記情報を検索する検索部と、
前記情報の有する位置に関するデータに応じて、前記検索部で検索した前記情報を前記撮像部で撮像した画像と共に表示する表示部とを有することを特徴とする電子カメラ。
【請求項２】
請求項１に記載の電子カメラにおいて、
前記表示部は、前記情報を、前記情報が有する位置データに対応した前記画像中の位置に配置することを特徴とする電子カメラ。
【請求項３】
請求項１または請求項２に記載の電子カメラにおいて、
前記情報は前記位置検出部で検出した位置に関する情報を有する前記撮像部で撮像した画像であることを特徴とする電子カメラ。
【請求項４】
請求項１〜３のいずれか一項に記載の電子カメラにおいて、
前記電子カメラの向きを検出する向き検出部をさらに備え、
前記検索部は、前記位置検出部で検出された位置と、前記向き検出部で検出された向きとに基づいて、前記情報を検索することを特徴とする電子カメラ。
【請求項５】
請求項４に記載の電子カメラにおいて、
前記向き検出部は、水平方向と垂直方向の少なくともいずれか一方について検出し、
前記検索部は、前記位置検出部により検出された位置と、前記向き検出部により検出された向きとに基づいて、前記情報を検索することを特徴とする電子カメラ。
【請求項６】
請求項１から請求項５のいずれか一項に記載の電子カメラにおいて、
前記電子カメラの傾きを検出する傾き検出部をさらに有し、
前記情報は、前記情報が作成された時間データを有し、
前記検索部は、前記傾き検出部で検出した傾きに応じて、検索する前記情報が作成された時間範囲を変更することを特徴とする電子カメラ。
【請求項７】
請求項１から請求項６のいずれか一項に記載の電子カメラにおいて、
前記画像はスルー画であることを特徴とする電子カメラ。
【請求項８】
請求項７に記載の電子カメラにおいて、
前記表示部は、所定の切り替え条件を満たしたときに、予め記憶された背景画像を前記スルー画から切り替えて表示することを特徴とする電子カメラ。
【請求項９】
請求項８に記載の電子カメラにおいて、
前記切り替え条件は、前記電子カメラの向きまたは周囲の明るさに応じて設定されることを特徴とする電子カメラ。
【請求項１０】
請求項１〜９のいずれか一項に記載の電子カメラにおいて、
前記情報は、撮影画像、文字または音声の少なくともいずれかであることを特徴とする電子カメラ。
【請求項１１】
請求項１〜１０のいずれか一項に記載の電子カメラにおいて、
前記表示部は、前記検索部により検索された撮影画像の撮影範囲をさらに表示することを特徴とする電子カメラ。
【請求項１２】
請求項１〜１１のいずれか一項に記載の電子カメラにおいて、
前記情報は、前記電子カメラに装填された記録媒体、または前記電子カメラと無線通信により接続されるサーバ装置に格納されていることを特徴とする電子カメラ。
【請求項１３】
請求項１〜１２のいずれか一項に記載の電子カメラにおいて、
前記表示部は、擬似的な立体空間を示す線を、前記画像と共に表示することを特徴とする電子カメラ。
【請求項１４】
請求項１〜１３のいずれか一項に記載の電子カメラにおいて、
前記情報を選択するための選択部を有し、
前記選択部は、ズームボタンと回転可能な操作部材と十字キーとのうち少なくとも１つを含むことを特徴とする電子カメラ。
【請求項１５】
請求項１〜１３のいずれか一項に記載の電子カメラにおいて、
前記情報を選択するための選択部を有し、
前記選択部により前記情報が選択され、かつ、撮影を指示するためのボタンが操作された場合には、前記選択部により選択された前記情報に関連する情報を表示することを特徴とする電子カメラ。
【請求項１６】
請求項１〜１５のいずれか一項に記載の電子カメラにおいて、
前記表示部は、前記検索部により検索された撮影画像の画角と被写界深度とのうち少なくともいずれかを示す表示をすることを特徴とする電子カメラ。
【請求項１７】
請求項１〜１６のいずれか一項に記載の電子カメラにおいて、
撮影が指示された場合に撮影画像を取得するための撮影モードと、
前記情報を検索するための検索モードと、を設定可能なことを特徴とする電子カメラ。
【請求項１８】
位置に関するデータを有する情報を入力する入力部と、
被写体を撮像した画像を入力する画像入力部と、
位置を検出する位置検出部と、
前記位置検出部で検出した位置に基づいて、前記情報を検索する検索部と、
前記情報の有する位置に関するデータに応じて、前記検索部で検索した前記情報を前記画像と共に表示する表示部とを有することを特徴とする表示装置。
【手続補正２】
【補正対象書類名】明細書
【補正対象項目名】０００５
【補正方法】変更
【補正の内容】
【０００５】
請求項１の発明による電子カメラは、位置に関するデータを有する情報を入力する入力部と、被写体を撮像する撮像部と、位置を検出する位置検出部と、前記位置検出部で検出した位置に基づいて、前記情報を検索する検索部と、前記情報の有する位置に関するデータに応じて、前記検索部で検索した前記情報を前記撮像部で撮像した画像と共に表示する表示部とを有することを特徴とする。
請求項１８の発明による表示装置は、位置に関するデータを有する情報を入力する入力部と、被写体を撮像した画像を入力する画像入力部と、位置を検出する位置検出部と、前記位置検出部で検出した位置に基づいて、前記情報を検索する検索部と、前記情報の有する位置に関するデータに応じて、前記検索部で検索した前記情報を前記画像と共に表示する表示部とを有することを特徴とする。
【手続補正書】
【提出日】平成23年4月21日(2011.4.21)
【手続補正１】
【補正対象書類名】特許請求の範囲
【補正対象項目名】請求項８
【補正方法】変更
【補正の内容】
【請求項８】
前記調整手段は、
前記音声コンテンツに由来し、前記複数のスピーカのそれぞれに供給される音声信号ごとに遅延時間を付与する遅延手段と；
前記複数のスピーカのそれぞれに関する前記第２推定手段による推定結果に基づいて、前記遅延手段において付与されるべき前記音声信号ごとの遅延時間を算出し、算出された遅延時間を前記遅延手段に対して設定する遅延制御手段と；
を備えることを特徴とする請求項７に記載の音響装置。
【手続補正２】
【補正対象書類名】特許請求の範囲
【補正対象項目名】請求項１１
【補正方法】変更
【補正の内容】
【請求項１１】
請求項１０に記載の遅延測定方法を演算手段に実行させる、ことを特徴とする遅延測定プログラム。
【手続補正書】
【提出日】平成23年6月22日(2011.6.22)
【手続補正１】
【補正対象書類名】特許請求の範囲
【補正対象項目名】全文
【補正方法】変更
【補正の内容】
【特許請求の範囲】
【請求項１】
原稿画像を読み取る複数のセンサがライン状に配列され、１ラインずつ前記原稿画像を読み取り、前記センサごとに画像データを出力するイメージセンサを備えた画像読取装置であって、
前記複数のセンサそれぞれから出力された前記原稿画像の画像データのうち、前記複数のセンサそれぞれで読み取られた一端側の画素の画像データと、該画素の他の残りの画素の画像データとを異なる圧縮方法により圧縮する圧縮手段と、
前記圧縮手段により圧縮された画像データを格納する格納手段と、
前記格納手段から出力された前記画像データを伸張する伸張手段と、
前記伸張手段に入力される画素数をカウントするカウント手段と、
前記複数のセンサごとに読み取りに使用される画素数を判定する判定手段とを備え、
前記伸張手段は、前記カウント手段によりカウントされた画素数と、前記判定手段により判定された画素数とに基づいて、前記画像データの伸張方法を変更する
ことを特徴とする画像読取装置。
【請求項２】
前記格納手段に格納された前記複数のセンサごとの画像データを、前記原稿画像の１ライン分の画素の並び順に対応した順番で読み出し、前記圧縮手段にシリアルに入力する制御手段をさらに備える
ことを特徴とする請求項１に記載された画像読取装置。
【請求項３】
前記圧縮手段は、前記複数のセンサそれぞれの一端側の画素の画像データは該画素の画像データに基づいて圧縮し、前記残りの画素の画像データは先に読み取られる隣の画素の画像データに基づいて圧縮する
ことを特徴とする請求項１または２に記載の画像読取装置。
【請求項４】
前記判定手段により判定される画素数は、前記複数のセンサそれぞれの画素数である
ことを特徴とする請求項１から３のいずれか１項に記載の画像読取装置。
【請求項５】
前記伸張手段は、前記複数のセンサそれぞれの一端側の画素の画像データは該画素の画像データに基づいて伸張し、前記残りの画素の画像データは先に読み取られる隣の画素の画像データに基づいて伸張する
ことを特徴とする請求項１から４のいずれか１項に記載の画像読取装置。
【請求項６】
原稿画像を読み取る複数のセンサがライン状に配列され、１ラインずつ前記原稿画像を読み取り、前記センサごとに画像データを出力するイメージセンサを備えた画像読取装置を用いた画像読取方法であって、
前記複数のセンサそれぞれから出力された前記原稿画像の画像データのうち、前記複数のセンサそれぞれで読み取られた一端側の画素の画像データと、該画素の他の残りの画素の画像データとを異なる圧縮方法により圧縮する圧縮工程と、
前記圧縮工程により圧縮された画像データを格納手段に格納する格納工程と、
前記格納手段から出力された前記画像データを伸張手段によって伸張する工程と、
前記伸張手段に入力される画素数をカウント手段によってカウントするカウント工程と、
前記複数のセンサごとに読み取りに使用される画素数と、前記カウント工程においてカウントされた画素数とに基づいて、前記伸張手段による前記画像データの伸張方法を変更する工程と
を有することを特徴とする画像読取方法。
【手続補正２】
【補正対象書類名】明細書
【補正対象項目名】００１２
【補正方法】変更
【補正の内容】
【００１２】
上記課題を解決するための本発明は、原稿画像を読み取る複数のセンサがライン状に配列され、１ラインずつ前記原稿画像を読み取り、前記センサごとに画像データを出力するイメージセンサを備えた画像読取装置であって、
前記複数のセンサそれぞれから出力された前記原稿画像の画像データのうち、前記複数のセンサそれぞれで読み取られた一端側の画素の画像データと、該画素の他の残りの画素の画像データとを異なる圧縮方法により圧縮する圧縮手段と、
前記圧縮手段により圧縮された画像データを格納する格納手段と、
前記格納手段から出力された前記画像データを伸張する伸張手段と、
前記伸張手段に入力される画素数をカウントするカウント手段と、
前記複数のセンサごとに読み取りに使用される画素数を判定する判定手段とを備え、
前記伸張手段は、前記カウント手段によりカウントされた画素数と、前記判定手段により判定された画素数とに基づいて、前記画像データの伸張方法を変更する
ことを特徴とする。
【手続補正３】
【補正対象書類名】明細書
【補正対象項目名】００１３
【補正方法】変更
【補正の内容】
【００１３】
また、上記課題を解決するための別の本発明は、原稿画像を読み取る複数のセンサがライン状に配列され、１ラインずつ前記原稿画像を読み取り、前記センサごとに画像データを出力するイメージセンサを備えた画像読取装置を用いた画像読取方法であって、
前記複数のセンサそれぞれから出力された前記原稿画像の画像データのうち、前記複数のセンサそれぞれで読み取られた一端側の画素の画像データと、該画素の他の残りの画素の画像データとを異なる圧縮方法により圧縮する圧縮工程と、
前記圧縮工程により圧縮された画像データを格納手段に格納する格納工程と、
前記格納手段から出力された前記画像データを伸張手段によって伸張する工程と、
前記伸張手段に入力される画素数をカウント手段によってカウントするカウント工程と、
前記複数のセンサごとに読み取りに使用される画素数と、前記カウント工程においてカウントされた画素数とに基づいて、前記伸張手段による前記画像データの伸張方法を変更する工程と
を有することを特徴とする。
【手続補正書】
【提出日】平成23年7月28日(2011.7.28)
【手続補正１】
【補正対象書類名】特許請求の範囲
【補正対象項目名】全文
【補正方法】変更
【補正の内容】
【特許請求の範囲】
【請求項１】
瞳分割された焦点検出画素対と、瞳分割されていない撮像用の画素とをそれぞれ複数有する撮像素子と、
前記撮像素子の一部の画素から信号電荷を読み出す間引き読み出しを行う際、前記一部の画素として前記複数の焦点検出画素対を含むよう読み出す制御手段と
を有することを特徴とする撮像装置。
【請求項２】
前記撮像素子に含まれる前記複数の焦点検出画素対は、第１の方向に瞳分割された焦点検出画素対と、当該第１の方向と垂直な第２の方向に瞳分割された焦点検出画素対とを含むことを特徴とする請求項１に記載の撮像装置。
【請求項３】
前記撮像素子は、前記焦点検出画素対以外に、前記間引き読み出し時に読み出されない複数の第２焦点検出画素対を更に有し、
前記制御手段は、デジタルズームが指定されたときに、拡大される領域である前記撮像素子の所定領域内に配置された全画素から信号電荷を読み出し、前記所定領域内に配置された前記焦点検出画素対に加え、前記複数の第２焦点検出画素対から信号電荷を読み出すように制御することを特徴とする請求項１に記載の撮像装置。
【請求項４】
前記制御手段は、前記複数の焦点検出画素対からの信号に基づいて、デフォーカス量を算出することを特徴とする請求項１に記載の撮像装置。
【手続補正２】
【補正対象書類名】明細書
【補正対象項目名】００１９
【補正方法】変更
【補正の内容】
【００１９】
上記目的を達成するために、本発明の撮像装置は、瞳分割された焦点検出画素対と、瞳分割されていない撮像用の画素とをそれぞれ複数有する撮像素子と、前記撮像素子の一部の画素から信号電荷を読み出す間引き読み出しを行う際、前記一部の画素として前記複数の焦点検出画素対を含むよう読み出す制御手段とを有する。
【手続補正書】
【提出日】平成23年9月28日(2011.9.28)
【手続補正１】
【補正対象書類名】特許請求の範囲
【補正対象項目名】全文
【補正方法】変更
【補正の内容】
【特許請求の範囲】
【請求項１】
画像を取得する画像取得手段と、
取得した画像を符号化する画像符号化手段と、
画像取得位置に関する位置情報及び画像取得時刻に関する時刻情報を取得する位置・時刻情報取得手段と、
前記符号化された画像を前記位置情報及び前記時刻情報と関連付けて記録媒体に記録する記録手段と、
画像検索用の位置及び時間を指定する入力手段と、
前記指定された位置及び時間に基づいて特定される範囲内で取得された画像があるかどうかの検索を行う検索手段と、
前記検索に基づいて前記指定された位置及び時間に基づいて特定される範囲内で取得された画像を外部へ出力する出力手段と、
を具備する画像記録装置。
【請求項２】
前記入力手段は、前記画像検索用の位置及び時間に関する情報を外部より受信することで画像検索用の位置及び時間を指定する、
請求項１に記載の画像記録装置。
【請求項３】
前記入力手段は、前記画像検索用の位置及び時間を指定する情報を自装置に備え付けられたタッチパネル又は入力キーを介して入力することで前記画像検索用の位置及び時間を指定する、
請求項１に記載の画像記録装置。
【請求項４】
前記画像検索用の位置及び時間を指定する情報は、少なくとも２つの座標に関する情報と２つの時刻に関する情報を含み、
前記検索手段は、前記２つの座標を境界とする位置の範囲内であって、前記２つの時刻を開始時刻と終了時刻とする時間の範囲内で取得された画像が前記記録媒体に記録されているかどうかの検索を行う、
請求項２又は３に記載の画像記録装置。
【請求項５】
前記位置・時刻情報取得手段は、ＧＰＳ信号に基づいて求められる位置に所定のセンサから得られる信号に基づく補正をすることで前記画像取得位置に関する位置情報を取得する、
請求項１乃至４のいずれか１項に記載の画像記録装置。
【請求項６】
前記画像取得手段において画像が取得された方向を表す方位情報を取得する方位情報取得手段を更に具備し、
前記記録手段は、符号化された画像を前記位置情報、前記時間情報、及び前記方位情報と関連付けて記録する、
請求項１乃至５のいずれか１項に記載の画像記録装置。
【請求項７】
前記画像に暗号化処理を行う暗号化手段をさらに備え、
前記出力手段は、前記検索に基づいて前記指定された位置及び時間に基づいて特定される範囲内で取得された画像を前記暗号化手段で暗号化した後に外部へ出力する、
請求項１乃至６のいずれか１項に記載の画像記録装置。
【請求項８】
前記出力手段は、前記検索に基づいて前記指定された位置及び時間に基づいて特定される範囲内で取得された画像を無線送信することで外部へ出力する無線送信手段である、
請求項１乃至７のいずれか１項に記載の画像記録装置。
【請求項９】
前記画像取得手段は、動画像を前記画像として取得する、
請求項１乃至８のいずれか１項に記載の画像記録装置。
【請求項１０】
前記記録媒体は、ＨＤＤ（Hard Disk Drive）である請求項１に記載の画像記録装置。
【請求項１１】
カメラで撮影されて符号化処理が施された画像を入力する第１の入力手段と、
画像撮影位置に関する位置情報及び画像撮影時刻に関する時刻情報を入力する第２の入力手段と、
入力した前記画像と前記位置情報及び時刻情報とを関連付ける処理を行う関連付け手段と、
前記関連付けされた画像を記録媒体に記録する記録手段と、
画像検索用の位置及び時間を指定する第３の入力手段と、
前記指定された位置及び時間に基づいて特定される範囲内で取得された画像があるかどうかの検索を行う検索手段と、
前記検索に基づいて前記指定された位置及び時間に基づいて特定される範囲内で取得された画像を外部へ出力する出力手段と、
を具備する画像記録装置。
【請求項１２】
前記第３の入力手段は、前記画像検索用の位置及び時間に関する情報を外部より受信する受信手段から前記画像検索用の位置及び時間に関する情報入力することで画像検索用の位置及び時間を指定する、
請求項１１に記載の画像記録装置。
【請求項１３】
前記第３の入力手段は、前記画像検索用の位置及び時間を指定する情報を自装置に備え付けられたタッチパネル又は入力キーを介して入力することで前記画像検索用の位置及び時間を指定する、
請求項１１に記載の画像記録装置。
【請求項１４】
画像を取得する画像取得ステップと、
取得した画像を符号化する画像符号化ステップと、
画像取得位置に関する位置情報及び画像取得時刻に関する時刻情報を取得する位置・時刻情報取得ステップと、
前記符号化された画像を前記位置情報及び前記時刻情報と関連付けて記録媒体に記録する記録ステップと、
画像検索用の位置及び時間を指定する入力ステップと、
前記指定された位置及び時間に基づいて特定される範囲内で取得された画像があるかどうかの検索を行う検索ステップと、
前記検索に基づいて前記指定された位置及び時間に基づいて特定される範囲内で取得された画像を外部へ出力する出力ステップと、
を有する画像記録方法。
【手続補正２】
【補正対象書類名】明細書
【補正対象項目名】発明の名称
【補正方法】変更
【補正の内容】
【発明の名称】画像記録装置、画像記録方法